(57)【要約】【課題】装置前面に設けられ、操作面が水平姿勢に近くなるようにチルトする操作パネルと、その上方を開閉する開閉体を備える記録装置において、前記開閉体を開閉する際の操作性を向上させる。【解決手段】プリンター１は、記録ユニット２の前面においてチルト可能に設けられ、チルトすることで第１姿勢と、第１姿勢より操作面４ｂが水平姿勢に近くなる第２姿勢と、の間で姿勢切換が可能な操作パネル４と、記録ユニット２に設けられるスキャナー部３と、を備え、スキャナー部３は、原稿を載置する原稿台１２の上面を開閉する、回転可能な開閉体としての原稿カバー１０を備え、原稿カバー１０は、自由端側の端部が、操作パネル４の上部に位置するとともに、回転中心から遠ざかるに従って下がる形状を成し、自由端側の端部は、第１端部３１と、回転中心からの距離が第１端部３１より近い第２端部３２と、を備えて構成される。【選択図】図１
2020001264.tif 000002
【特許請求の範囲】
【請求項１】
媒体に記録を行う記録手段を備える記録ユニットと、
前記記録ユニットの前面においてチルト可能に設けられ、チルトすることで第１姿勢と、前記第１姿勢より操作面が水平姿勢に近くなる第２姿勢と、の間で姿勢切換が可能な操作パネルと、
前記記録ユニットに設けられ、原稿を読み取る読み取り手段を備える読取ユニットと、を備え、
前記読取ユニットは、原稿を載置する原稿台を開閉する、回転可能な開閉体を備え、
前記開閉体は、自由端側の端部が、前記操作パネルの上部に位置するとともに、回転中心から遠ざかるに従って下がる形状を成し、
前記自由端側の端部は、第１端部と、前記回転中心からの距離が前記第１端部より近い第２端部と、を備えて構成される、
ことを特徴とする記録装置。
【請求項２】
媒体に記録を行う記録手段を備える記録ユニットと、
前記記録ユニットの前面においてチルト可能に設けられ、チルトすることで第１姿勢と、前記第１姿勢より操作面が水平姿勢に近くなる第２姿勢と、の間で姿勢切換が可能な操作パネルと、
前記記録ユニットに設けられ、原稿を読み取る読み取り手段を備える読取ユニットと、を備え、
前記読取ユニットは、原稿を載置する原稿台を開閉する、回転可能な開閉体を備え、
前記操作パネルは、前記開閉体を開いた場合に、上部が前記開閉体による開閉領域に露呈するように設けられ、
前記開閉体は、自由端が前記操作パネルに近づく方向に傾斜しているとともに、閉じた前記開閉体に対する平面視で、前記操作パネルのチルト軸方向における第１領域を覆う位置にある第１端部と、前記操作パネルの前記第１領域以外の領域である第２領域を露呈させる位置にある第２端部と、を備える、
ことを特徴とする記録装置。
【請求項３】
請求項１または請求項２に記載の記録装置において、
前記操作パネルは、前記第１姿勢において、チルトするためのチルト軸の上部に上面部を有し、
前記開閉体が閉じるとともに前記操作パネルが前記第１姿勢にある際に、前記開閉体の前記自由端側の端部と前記操作パネルとの間の鉛直方向の最大間隔が、前記第１端部と前記上面部とで形成され、
前記開閉体が閉じるとともに前記操作パネルが前記第２姿勢にある際に、前記最大間隔が、前記第２端部と前記操作面とで形成される、
ことを特徴とする記録装置。
【請求項４】
請求項３に記載の記録装置において、
前記操作パネルの前記第１姿勢から前記第２姿勢へのチルトに伴って、前記上面部と、前記第１端部との間の鉛直方向の間隔が狭くなる構成である、
ことを特徴とする記録装置。
【請求項５】
請求項３または請求項４に記載の記録装置において、
前記読取ユニットは、前記原稿台に対し装置前面側にフレーム部を有し、
閉じた状態の前記開閉体の前記第２端部は、前記フレーム部の上方に位置し、
前記フレーム部の装置前面側の端部は、前記第２端部よりも装置後方に位置する、
ことを特徴とする記録装置。
【請求項６】
請求項１から請求項５のいずれか一項に記載の記録装置において、
閉じた状態の前記開閉体に対する平面視で、前記第１端部は、前記操作面と重なる、
ことを特徴とする記録装置。
【請求項７】
請求項１から請求項６のいずれか一項に記載の記録装置において、
前記第２端部は、装置前面側から見て前記第１端部の右側に位置する、
ことを特徴とする記録装置。
【請求項８】
請求項７に記載の記録装置において、
前記操作パネルは、装置操作に係る内容を表示する表示部を備え、
前記表示部は、前記操作パネルのチルト軸方向において、前記第２端部と重ならない位置に配設される、
ことを特徴とする記録装置。
【請求項９】
請求項７または請求項８に記載の記録装置において、
装置前面側から見て、前記操作パネルの右側に、前記記録ユニットの前面から突出するインクタンクと、前記インクタンクの上部を開閉するタンクカバーと、を備え、
前記開閉体の前記第２端部は、前記操作パネルのチルト軸方向において前記タンクカバーと重なる位置まで延長されている、
ことを特徴とする記録装置。
【発明の詳細な説明】
【技術分野】
【０００１】
本発明は、媒体に記録を行う記録装置に関する。
【背景技術】
【０００２】
ファクシミリやプリンター等に代表される記録装置において、操作ボタンや表示画面等が設けられた操作パネルが、チルト機構によって角度を変えられるように構成されるものがある。また、このような操作パネルの上方に、装置上部を開閉する開閉体が設けられる場合がある。例えば、特許文献１には、装置前面に操作パネルを備え、上部にスキャナーユニットが設けられた画像形成装置が開示されている。  
スキャナーユニットには、装置上部に位置する原稿台を開閉する開閉体としての原稿カバーが設けられる。尚、特許文献１において、原稿台は原稿台ガラス１９であり、原稿カバーは原稿搬送部２である。
【先行技術文献】
【特許文献】
【０００３】
【特許文献１】特開２０１４−２２１０号公報
【発明の概要】
【発明が解決しようとする課題】
【０００４】
操作パネルのすぐ上方に開閉体が設けられている場合、操作パネルをチルトした状態では開閉体に手指を掛けにくく、このため、開閉体が開けにくくなる場合がある。
【０００５】
開閉体を開け易くする手段としては、例えば、開閉体を開放するための開閉レバーのような、開閉体の開閉を間接的に操作する部品を別途設けることが考えられるが、開閉レバーを設けるとデザイン性が損なわれる虞がある。また、部品点数が増加することに加え、開閉レバーが破損する虞がある。
【課題を解決するための手段】
【０００６】
上記課題を解決する本発明の媒体搬送装置は、媒体に記録を行う記録手段を備える記録ユニットと、前記記録ユニットの前面においてチルト可能に設けられ、チルトすることで第１姿勢と、前記第１姿勢より操作面が水平姿勢に近くなる第２姿勢と、の間で姿勢切換が可能な操作パネルと、前記記録ユニットに設けられ、原稿を読み取る読み取り手段を備える読取ユニットと、を備え、前記読取ユニットは、原稿を載置する原稿台を開閉する、回転可能な開閉体を備え、前記開閉体は、自由端側の端部が、前記操作パネルの上部に位置するとともに、回転中心から遠ざかるに従って下がる形状を成し、前記自由端側の端部は、第１端部と、前記回転中心からの距離が前記第１端部より近い第２端部と、を備えて構成される、ことを特徴とする。
【図面の簡単な説明】
【０００７】
【図１】本発明に係るプリンターの外観斜視図。
【図２】本発明に係るプリンターの媒体搬送経路を示す側断面図。
【図３】操作パネルを第２姿勢にしたプリンターの外観斜視図。
【図４】原稿カバーを開いた状態のプリンターを示す斜視図。
【図５】図１のＡ−Ａ矢視断面において、操作パネルが第１姿勢にある状態を示す図。
【図６】図１のＡ−Ａ矢視断面において、操作パネルが第２姿勢にある状態を示す図。
【図７】図１のＢ−Ｂ矢視断面において、操作パネルが第１姿勢にある状態を示す図。
【図８】図１のＢ−Ｂ矢視断面において、操作パネルが第２姿勢にある状態を示す図。
【図９】図１のＡ−Ａ矢視断面において、操作パネルが図５に示す第１姿勢と、図６に示す第２姿勢と、の間で姿勢変化する様子を示す図。
【図１０】図１のＢ−Ｂ矢視断面において、操作パネルが図７に示す第１姿勢と、図８に示す第２姿勢と、の間で姿勢変化する様子を示す図。
【図１１】操作パネルが第１姿勢にあり、原稿カバーが開いた状態であるプリンターの要部平面図。
【図１２】操作パネルが第２姿勢にあり、原稿カバーが開いた状態であるプリンターの要部平面図。
【図１３】操作パネルが第１姿勢にあり、原稿カバーが閉じた状態であるプリンターの要部平面図。
【図１４】操作パネルが第２姿勢にあり、原稿カバーが閉じた状態であるプリンターの要部平面図。
【図１５】操作パネルが第２姿勢にあり、タンクカバーが開いた状態を示すプリンターの要部拡大斜視図。
【図１６】操作パネルが第２姿勢にあり、タンクカバーが閉じた状態を示すプリンターの要部拡大斜視図。
【発明を実施するための形態】
【０００８】
以下、本発明について概略的に説明する。  
本発明の第１の態様に係る記録装置は、媒体に記録を行う記録手段を備える記録ユニットと、前記記録ユニットの前面においてチルト可能に設けられ、チルトすることで第１姿勢と、前記第１姿勢より操作面が水平姿勢に近くなる第２姿勢と、の間で姿勢切換が可能な操作パネルと、前記記録ユニットに設けられ、原稿を読み取る読み取り手段を備える読取ユニットと、を備え、前記読取ユニットは、原稿を載置する原稿台を開閉する、回転可能な開閉体を備え、前記開閉体は、自由端側の端部が、前記操作パネルの上部に位置するとともに、回転中心から遠ざかるに従って下がる形状を成し、前記自由端側の端部は、第１端部と、前記回転中心からの距離が前記第１端部より近い第２端部と、を備えて構成される、ことを特徴とする。
【０００９】
前記開閉体は、自由端側の端部が、前記操作パネルの上部に位置しているので、前記操作パネルをチルトさせて当該操作パネルを前記第１姿勢から前記第２姿勢に切り換えた際に、前記自由端側の端部と前記操作パネルとの鉛直方向間隔が狭くなり、前記自由端側の端部に手指をかけにくくなる場合がある。  
しかし本態様によれば、回転中心から遠ざかるに従って下がる形状を成す前記自由端側の端部が、第１端部と、前記回転中心からの距離が前記第１端部より近い第２端部と、を備えて構成されるので、前記第２端部の鉛直方向位置が前記第１端部の鉛直方向位置より高くなり、前記第２端部によって前記自由端側の端部と前記操作パネルとの鉛直方向間隔を確保することができる。これにより、前記操作パネルの姿勢に拘わらず、前記開閉体の前記自由端側の端部に手指を掛けることができる。すなわち、新たな部品を必要としない簡単な構成で、前記開閉体を開閉する際の操作性を向上させることができる。
【００１０】
本発明の第２の態様に係る記録装置は、媒体に記録を行う記録手段を備える記録ユニットと、前記記録ユニットの前面においてチルト可能に設けられ、チルトすることで第１姿勢と、前記第１姿勢より操作面が水平姿勢に近くなる第２姿勢と、の間で姿勢切換が可能な操作パネルと、前記記録ユニットに設けられ、原稿を読み取る読み取り手段を備える読取ユニットと、を備え、前記読取ユニットは、原稿を載置する原稿台を開閉する、回転可能な開閉体を備え、前記操作パネルは、前記開閉体を開いた場合に、上部が前記開閉体による開閉領域に露呈するように設けられ、前記開閉体は、自由端が前記操作パネルに近づく方向に傾斜しているとともに、閉じた前記開閉体に対する平面視で、前記操作パネルのチルト軸方向における第１領域を覆う位置にある第１端部と、前記操作パネルの前記第１領域以外の領域である第２領域を露呈させる位置にある第２端部と、を備える、ことを特徴とする。
【００１１】
前記操作パネルが、前記開閉体を開いた場合に、上部が前記開閉体による開閉領域に露呈するように設けられていると、前記操作パネルをチルトさせて当該操作パネルを前記第１姿勢から前記第２姿勢に切り換えた際に、前記自由端側の端部と前記操作パネルとの鉛直方向間隔が狭くなり、前記自由端側の端部に手指をかけにくくなる場合がある。  
本態様によれば、前記開閉体は、自由端が前記操作パネルに近づく方向に傾斜しているとともに、閉じた前記開閉体に対する平面視で、前記操作パネルの軸方向における第１領域を覆う位置にある第１端部と、前記操作パネルの前記第１領域以外の領域である第２領域を露呈させる位置にある第２端部と、を備えるので、前記第２端部の鉛直方向位置が前記第１端部の鉛直方向位置より高くなり、前記第２端部によって前記自由端側の端部と前記操作パネルとの鉛直方向間隔を確保することができる。これにより、前記操作パネルの姿勢に拘わらず、前記開閉体の前記自由端側の端部に手指を掛けることができる。すなわち、新たな部品を必要としない簡単な構成で、前記開閉体を開閉する際の操作性を向上させることができる。
【００１２】
本発明の第３の態様は、第１の態様または第２の態様において、前記操作パネルは、前記第１姿勢において、チルトするためのチルト軸の上部に上面部を有し、前記開閉体が閉じるとともに前記操作パネルが前記第１姿勢にある際に、前記開閉体の前記自由端側の端部と前記操作パネルとの間の鉛直方向の最大間隔が、前記第１端部と前記上面部とで形成され、前記開閉体が閉じるとともに前記操作パネルが前記第２姿勢にある際に、前記最大間隔が、前記第２端部と前記操作面とで形成される、ことを特徴とする。
【００１３】
本態様によれば、前記操作パネルが前記上面部を備える構成において、上述した第１の態様の効果が得られる。
【００１４】
本発明の第４の態様は、第３の態様において、前記操作パネルの前記第１姿勢から前記第２姿勢へのチルトに伴って、前記上面部と、前記第１端部との間の鉛直方向の間隔が狭くなる構成である、ことを特徴とする。  
本態様によれば、上述した第２の態様の構成を容易に実現できる。
【００１５】
本発明の第５の態様は、第３の態様または第４の態様において、前記読取ユニットは、前記原稿台に対し装置前面側にフレーム部を有し、閉じた状態の前記開閉体の前記第２端部は、前記フレーム部の上方に位置し、前記フレーム部の装置前面側の端部は、前記第２端部よりも装置後方に位置する、ことを特徴とする。
【００１６】
本態様によれば、閉じた状態の前記開閉体の前記第２端部は、前記フレーム部の上方に位置し、前記フレーム部の装置前面側の端部は、前記第２端部よりも装置後方に位置するので、前記第２端部に手指をかける際に前記フレーム部の装置前面側の端部が邪魔になり難く、操作性容易に前記開閉体を開くことができる。
【００１７】
本発明の第６の態様は、第１の態様から第５の態様のいずれかにおいて、閉じた状態の前記開閉体に対する平面視で、前記第１端部は、前記操作面と重なる、ことを特徴とする。本態様によれば、記録装置の外観を良好にすることができる。
【００１８】
本発明の第７の態様は、第１の態様から第６の態様のいずれかにおいて、前記第２端部は、装置前面側から見て前記第１端部の右側に位置する、ことを特徴とする。  
本態様によれば、前記第２端部は、装置前面側から見て前記第１端部の右側に位置するので、前記第２端部を右手で操作し易い構成とすることができる。
【００１９】
本発明の第８の態様は、第７の態様において、前記操作パネルは、装置操作に係る内容を表示する表示部を備え、前記表示部は、前記操作パネルのチルト軸方向において、前記第２端部と重ならない位置に配設される、ことを特徴とする。
【００２０】
本態様によれば、前記表示部は、前記チルト軸方向において、前記第２端部と重ならない位置に配設されるので、第２端部に手指を掛けて前記開閉体を操作する場合に、表示部が操作する手で覆われにくい。したがって、前記表示部を見ながら前記開閉体の開閉操作をし易い構成とすることができる。
【００２１】
本発明の第９の態様は、第７の態様または第８の態様において、装置前面側から見て、前記操作パネルの右側に、前記記録ユニットの前面から突出するインクタンクと、前記インクタンクの上部を開閉するタンクカバーと、を備え、前記開閉体の前記第２端部は、前記操作パネルのチルト軸方向において前記タンクカバーと重なる位置まで延長されている、ことを特徴とする。
【００２２】
本態様によれば、前記開閉体の前記第２端部は、前記チルト軸方向において前記タンクカバーと重なる位置まで延長されているので、前記タンクカバーの開閉操作の操作性が向上する。
【００２３】
以下、本発明について具体的に説明する。  
［第１実施形態］
本発明の一実施形態に係る記録装置の概略について図を参照して説明する。本実施形態の記録装置の一例として、インクジェット式のプリンター１を挙げる。  
尚、本発明に係る記録装置は、インクジェット式に限られず、例えば、レーザープリンターとして構成することも可能である。
【００２４】
参照する各図において示すＸ−Ｙ−Ｚ座標系はＸ軸方向が媒体の幅方向、且つ、装置幅方向であり、Ｙ軸方向が記録装置内の媒体搬送経路における媒体搬送方向であり、装置奥行き方向を示し、Ｚ軸方向が装置高さ方向を示している。また、媒体が搬送されていく方向を下流といい、その反対を上流と言う。また、Ｙ軸方向において、＋Ｙ側を装置前方とし、−Ｙ側を装置後方とする。
【００２５】
■■■プリンターの概要■■■
以下、主として図１を参照して、プリンター１の全体構成について概説する。図１に示すプリンター１は、媒体に記録を行う記録手段２５（図２）を備える記録ユニット２と、記録ユニット２に設けられ、原稿を読み取る読み取り手段１３（図２）を備える「読取ユニット」としてのスキャナー部３と、を備える複合機として構成されている。記録ユニット２の前面である＋Ｙ側の側面には操作パネル４が設けられている。  
図１に示す操作パネル４の前面が操作面４ｂであり、操作面４ｂには、表示部５と複数の操作ボタン６が設けられている。本実施形態において、表示部５は、画面に装置操作に係る内容を表示する。尚、表示部５は、画面をタッチして操作するタッチパネルとして構成することもできる。
【００２６】
操作パネル４は、記録ユニット２の前面においてチルト可能に設けられ、チルトすることで、図１に示す第１姿勢と、図３に示すように、第１姿勢より操作面４ｂが水平姿勢に近くなる第２姿勢と、の間で姿勢切換が可能である。  
尚、図１３は、操作パネル４の第１姿勢を示す平面図であり、図１４は、操作パネル４の第２姿勢を示す平面図である。
【００２７】
記録ユニット２の前面側には排出口７が形成されている。排出口７には、媒体受けトレイ８が設けられている。媒体受けトレイ８は、記録ユニット２に対して収納状態（図１）と引き出し状態（図２）とを切換可能に構成されている。
【００２８】
記録ユニット２内の−Ｙ側、すなわち後方には、図２に示すように、媒体支持部９が設けられている。媒体支持部９には、装置前方に向けて下るように傾斜する媒体支持面９ａが形成されている。媒体支持部９には、延長支持部１１が設けられている。延長支持部１１は、記録ユニット２に対して収納状態（図１）と引き出し状態（図２）とを切換可能に構成されている。延長支持部１１には、引き出し状態において媒体支持面９ａを＋Ｚ方向側に延長する延長支持面１１ａが形成されている。媒体支持面９ａ及び引き出し状態における延長支持面１１ａに媒体をセットすることで、記録ユニット２内に媒体を供給することができる。
【００２９】
図１において、スキャナー部３は、記録ユニット２の上方に配置されている。スキャナー部３の上部には、原稿カバー１０が装置後方である−Ｙ側を回転中心Ｃとして回転可能に取り付けられている。原稿カバー１０は、原稿を載置する原稿台１２（図４）を開閉する「開閉体」である。図１は、原稿カバー１０が原稿台１２を覆って閉じた状態を示し、図４は、原稿台１２を開放した状態を示している。尚、原稿カバー１０の構成については後に詳述する。
【００３０】
原稿台１２は、ガラス等の無色透明な板状体で形成されている。スキャナー部３において原稿台１２は、図４に示すように、前側、後ろ側、右側、左側の四方をフレーム部１８によって押さえられて記録ユニット２の上部に取り付けられている。  
読み取り手段１３は、図２に示すように、スキャナー部３において原稿台１２の下方に配置されている。読み取り手段１３はＸ軸方向に往復動可能に構成されている。
【００３１】
図１に示すプリンター１の装置前面側から見て、操作パネル４の右側（−Ｙ側）には、インクタンク１４が設けられている。インクタンク１４は、記録ユニット２の前面から突出するように設けられている。インクタンク１４は、上部を開閉するタンクカバー１６を備えている。  
インクタンク１４の内部には、図２に示す記録手段２５に供給する各色のインクを収容する複数のインク収容体１５が設けられている。インク収容体１５は、透明若しくは半透明な材料で形成されており、一部がインクタンク１４の前面側から露呈して、中のインクの残量が分かるようになっている。
【００３２】
■■■媒体搬送経路について■■■
図２において媒体搬送経路２０について説明する。図２において媒体支持部９は、前述したように、＋Ｙ側に下るように傾斜した状態で配置されており、媒体支持面９ａは傾斜姿勢で媒体を支持する。尚、本実施形態における媒体とは、一例として、Ａ４サイズやＢ５サイズの用紙、写真紙、葉書等のサイズや紙種が異なる媒体を含んでいる。
【００３３】
記録ユニット２内には、媒体搬送経路２０に沿って給送ローラー２１、分離ローラー２２、搬送ローラー対２３、記録手段２５及び排出ローラー対２４の順に設けられている。尚、図２において符号Ｐが付された太い実線は、延長支持部１１から媒体受けトレイ８までの媒体搬送経路２０に沿って搬送される媒体の案内経路を示している。媒体支持部９にセットされた媒体は、給送ローラー２１と分離ローラー２２とにニップされて搬送ローラー対２３に向けて送られる。搬送ローラー対２３は、媒体を記録手段２５に搬送する。
【００３４】
記録手段２５は、キャリッジ２６と、記録ヘッド２７とを備えている。キャリッジ２６は、装置幅方向であるＸ軸方向に往復動可能に構成されている。キャリッジ２６の下部には、記録ヘッド２７が設けられている。記録ヘッド２７の下面には、インクを−Ｚ軸方向に吐出可能な複数のインク吐出ノズルが設けられている。インクは、前述したインクタンク１４のインク収容体１５から、不図示のチューブを介して記録ヘッド２７に供給される。
【００３５】
記録ヘッド２７の下方において、記録ヘッド２７と対向する領域には、支持部材２８が設けられている。支持部材２８は、記録ヘッド２７と対向し、記録ヘッド２７との距離すなわちギャップを規定する。支持部材２８は、搬送ローラー対２３により記録ヘッド２７と対向する領域に搬送されてきた媒体の下面、すなわち、記録面と反対側の面を支持する。そして、記録ヘッド２７は、支持部材２８により支持された媒体に対してインクを吐出し、媒体の記録面に記録を実行する。記録が実行された媒体は、記録手段２５の搬送方向下流側に設けられた排出ローラー対２４にニップされて、媒体受けトレイ８に向けて排紙される。
【００３６】
■■■原稿カバーについて■■■
原稿カバー１０（開閉体）は、その自由端側である＋Ｙ側の端部の形状に特徴を有している。原稿カバー１０は、図５に示すように、自由端側（＋Ｙ側）の端部が、操作パネル４の上部に位置するとともに、回転中心Ｃから遠ざかるに従って下がる形状を成し、自由端側（＋Ｙ側）の端部は、第１端部３１と、回転中心Ｃからの距離Ｌ２（図１）が第１端部３１より近い第２端部３２と、を備えて構成される。図１において、回転中心Ｃから第１端部３１までの距離はＬ１であり、距離Ｌ１＞距離Ｌ２である。また、図１及び図５において、符号Ｄで示す部分が、自由端の先端に向かって下がり、操作パネル４の上部に差しかかる庇形状になっている。
【００３７】
また、言い換えると、操作パネル４は、図４及び図１１に示すように、原稿カバー１０を開いた場合に、上部が原稿カバー１０による開閉領域に露呈するように設けられ、原稿カバー１０は、図１または図５の符号Ｄで示す部分に示されるように、自由端が操作パネル４に近づく方向に傾斜しているとともに、図１３に示すように、閉じた原稿カバー１０に対する平面視で、操作パネル４のチルト軸方向（Ｘ軸方向）における第１領域Ｒ１を覆う位置にある第１端部３１と、操作パネル４の第１領域Ｒ１以外の領域である第２領域Ｒ２を露呈させる位置にある第２端部３２と、を備える。  
尚、図５〜図１０において、符号Ｇは操作パネル４がチルトするチルト軸Ｇである。
【００３８】
操作パネル４は、図５に示すように、第１姿勢において、チルトするためのチルト軸Ｇの上部に上面部４ａを有する。本実施形態において、上面部４ａは、第１姿勢である場合に前面側に向けて下がる方向に傾斜している。操作パネル４（上面部４ａ）と原稿カバー１０の自由端である第１端部３１との鉛直方向の間隔Ｅとすると、間隔ＥにはＥ１の長さが確保されている。尚、以下において図５における間隔Ｅを、間隔Ｅ１と言う場合がある。  
第２姿勢の操作パネル４は、図６に示すように操作面４ｂがほぼ水平になる。このとき、操作パネル４の第１端部３１は操作パネル４の操作面４ｂと対向し、第１端部３１と操作パネル４（操作面４ｂ）との鉛直方向の間隔Ｅは、図５に示すＥ１よりも短いＥ２になる。尚、以下において図６における間隔Ｅを、間隔Ｅ２と言う場合がある。
【００３９】
別観点で説明すると、チルト軸Ｇは、操作パネル４が、図６に示す第２姿勢において原稿カバー１０の自由端と対向する位置からチルト軸Ｇまでの距離Ｍ２が、操作パネル４が、図５に示す第１姿勢において原稿カバー１０の自由端と対向する位置からチルト軸Ｇまでの距離Ｍ１よりも長くなる位置に配置されている。このため、操作パネル４の第１姿勢における間隔Ｅ１よりも、操作パネル４の第２姿勢における間隔Ｅ２が狭くなり、原稿カバー１０の自由端側の端部に手指をかけにくくなる。
【００４０】
ここで、原稿カバー１０は、前述した様に、自由端側（＋Ｙ側）の端部が下方に傾斜した庇形状に形成されている。そして、第１端部３１と、回転中心Ｃからの距離Ｌ２が第１端部より近い第２端部３２と、を備えて構成される。  
また、閉じた原稿カバー１０に対する平面視で、操作パネル４のチルト軸方向（Ｘ軸方向）における第１領域Ｒ１を覆う位置にある第１端部３１と、操作パネル４の第１領域Ｒ１以外の領域である第２領域Ｒ２を露呈させる位置にある第２端部３２とを備える。
【００４１】
このことによって、図５及び図６に示すように、閉じた原稿カバー１０の第２端部３２の鉛直方向位置Ｋ２が、第１端部３１の鉛直方向位置Ｋ１より高くなる。そして、鉛直方向位置が第１端部３１の位置Ｋ１よりも高い位置Ｋ２にある第２端部３２によって、原稿カバー１０の自由端側の端部と操作パネル４との鉛直方向間隔（図７も参照）を確保することができる。したがって、操作パネル４の姿勢が第１姿勢であるか第２姿勢であるかに拘わらず、原稿カバー１０の自由端側の端部に確実に手指を掛けることができる。すなわち、新たな部品を必要としない簡単な構成で、原稿カバー１０を開閉する際の操作性を向上させることができる。
【００４２】
以下、操作パネル４と原稿カバー１０の自由端との位置関係について、更に詳しく説明する。  
操作パネル４は、図５及び図７に示すように、原稿カバー１０が閉じるとともに操作パネル４が第１姿勢にある際に、原稿カバー１０の自由端側の端部と操作パネル４との間の鉛直方向の最大間隔が、第１端部３１と上面部４ａとで形成される。  
言い換えると、図５に示す第１端部３１と上面部４ａとの鉛直方向の間隔Ｅ１と、図７に示す第２端部３２と上面部４ａとの鉛直方向の間隔Ｆ１とは、間隔Ｅ１が間隔Ｆ１よりも広くなっている。すなわち、間隔Ｅ１＞間隔Ｆ１である。
【００４３】
また、図６及び図８に示すように、原稿カバー１０が閉じるとともに操作パネル４が第２姿勢にある際に、前述した最大間隔が、第２端部３２と操作面４ｂとで形成される。  
言い換えると、図６に示す第１端部３１と上面部４ａとの鉛直方向の間隔Ｅ２と、図８に示す第２端部３２と上面部４ａとの鉛直方向の間隔Ｆ２とは、間隔Ｆ２が間隔Ｅ２よりも広くなっている。すなわち、間隔Ｅ２＜間隔Ｆ２である。
【００４４】
本実施形態において、操作パネル４の第１姿勢（図５）から第２姿勢（図６）へのチルトに伴って、上面部４ａと、第１端部３１との間の鉛直方向の間隔が狭くなる構成である。すなわち、間隔Ｅ１＞間隔Ｅ２となるように構成されている。
【００４５】
図５及び図７のように、操作パネル４が第１姿勢にある場合には、第２端部３２と上面部４ａとの間隔Ｆ１に手指を掛けることができ、間隔Ｆ１よりも広い第１端部３１と上面部４ａとの間隔Ｅ１にも手指を掛けることができる。  
図６及び図８のように、操作パネル４が第２姿勢にある場合には、第１端部３１と上面部４ａとの間隔Ｅ２が、図５に示す間隔Ｅ１よりも狭くなるので、間隔Ｅ２には手指を掛けにくくなるが、第２端部３２と上面部４ａとの間隔Ｆ２は間隔Ｅ２よりも広いので、手指を掛ける空間を確保することができる。  
尚、本実施形態において、間隔Ｅ１（図５）、間隔Ｆ１（図７）、間隔Ｆ２（図８）は、一例としてそれぞれ５ｍｍ前後であり、間隔Ｅ２（図６）は、一例として２ｍｍ前後である。
【００４６】
スキャナー部３は、前述したように、原稿台１２の四方を押さえるフレーム部１８を備えている。つまり、原稿台１２に対し装置前面側である＋Ｙ側には、フレーム部１８が設けられている。図７に示すように、閉じた状態の原稿カバー１０の第２端部３２は、フレーム部１８の上方に位置し、フレーム部１８の装置前面側の端部１８ａは、第２端部３２よりも装置後方である−Ｙ側に位置する。具体的には、端部１８ａは、距離Ｈだけ第２端部３２よりも奥側に位置する。  
フレーム部１８の装置前面側の端部１８ａが、第２端部３２よりも装置後方に位置することにより、距離Ｈの奥行空間が確保されるので、第２端部３２に手指をかける際に端部１８ａが邪魔になり難く、操作性容易に原稿カバー１０を開くことができる。距離Ｈは、一例として２ｍｍ〜３ｍｍである。
【００４７】
図９及び図１０は、第１姿勢の操作パネル４の位置を基準（０°）としたときの操作パネル４の開き角度をαとして、開き角度αを３０°、４５°、６０°の角度で開かれた操作パネル４を示している。図９は、第１端部３１に対応する位置での断面であり、図１０は第２端部３２に対応する位置での断面である。尚、本実施形態において、図７及び図８に示す操作パネル４の第２姿勢は、開き角度αが９０°の状態を示している。
【００４８】
本実施形態において、操作パネル４の開き角度αが０°を超えて６０°までの間は、第１端部３１と上面部４ａとの間隔Ｅは、図５に示す間隔Ｅ１以上になり、操作パネル４の開き角度αが６０°を超えると、間隔Ｅは、図５に示す間隔Ｅ１より狭くなる。つまり、操作パネル４の開き角度αが６０°を超えると、間隔Ｅに手指が掛けにくくなる。  
一方、第２端部３２と上面部４ａとの間隔Ｆは、操作パネル４の開き角度αが０°を超えると、すなわち操作パネル４が第１姿勢からチルトすると、図７に示す間隔Ｆ１よりも広くなるように構成されている。したがって、操作パネル４が第１姿勢から第２姿勢に姿勢変化する間、操作パネル４がいずれの開き角度αであっても、間隔Ｆ１以上の間隔Ｆを確保することができる。以って、操作パネル４が水平に近くなって第１端部３１に手指が掛けにくくなったとしても、第２端部３２によって原稿カバー１０を容易に開くことができる。
【００４９】
また、本実施形態において、閉じた状態の原稿カバー１０に対する平面視で、第１端部３１は操作面４ｂと重なる。言い換えると、装置奥行方向であるＹ軸方向において、第１端部３１と操作面４ｂが重なる。  
このことにより、原稿カバー１０の自由端の端部が操作面４ｂからはみ出さないので、外観の良好なプリンター１とすることができる。
【００５０】
また、原稿カバー１０の第２端部３２は、装置前面側から見て第１端部３１の右側に位置するように配置されている。以って、ユーザーが第２端部３２を右手で操作し易い構成とすることができる。
【００５１】
更に、操作パネル４に設けられた表示部５は、図１１及び図１２に示すように、チルト軸方向であるＸ軸方向において、第２端部３２と重ならない位置に配設される。  
表示部５が、Ｘ軸方向において、第２端部３２と重ならない位置に配設されていると、第２端部３２に手指を掛けて原稿カバー１０の開閉を操作する場合に、表示部５が操作する手で覆われにくい。したがって、表示部５に表示されている内容を見ながら原稿カバー１０を操作し易い構成とすることができる。
【００５２】
また、原稿カバー１０の第２端部３２は、図１５及び図１６に示すように、チルト軸方向であるＸ軸方向においてタンクカバー１６と重なる位置まで延長されている。  
図１５は、インクタンク１４のタンクカバー１６が開いた状態を示しており、図１６は、インクタンク１４のタンクカバー１６が閉じた状態を示している。図１５に示すようにタンクカバー１６を開くと、複数のインク収容体１５のそれぞれに設けられたインクキャップ１９が露呈する。
【００５３】
タンクカバー１６は、インクタンク１４の前面側（＋Ｙ側）に回動軸を有して回動するように構成されている。図１５に示すように、装置前面側から見てタンクカバー１６の右側である−Ｘ側の側面１６ｂには、タンクカバー１６を開ける際に手指をかける手掛け部１７が設けられている。  
図１に示すように、操作パネル４が第１姿勢になっている場合には、タンクカバー１６の−Ｘ側の側面１６ｂと、＋Ｘ側の側面１６ａとを挟むように手指をかけて、すなわち、タンクカバー１６の幅方向の両側を手指で挟んでタンクカバー１６を開くことができる。しかし、図１６に示すように操作パネル４が第２姿勢になると、操作パネル４がタンクカバー１６の側面１６ａの大部分を覆い、側面１６ａの一部が操作パネル４よりも上側に露呈する。
【００５４】
ここで、タンクカバー１６の＋Ｘ側が、原稿カバー１０によって第１端部３１の位置まで覆われていると、図１６において側面１６ａの操作パネル４よりも上側に露呈する部分が原稿カバー１０で覆われてしまい、タンクカバー１６の幅方向の両側を手指で挟みにくくなる。  
本実施形態においては、原稿カバー１０の第２端部３２が、Ｘ軸方向においてタンクカバー１６と重なる位置まで延長されているので、図１６のように操作パネル４を第２姿勢にしても、操作パネル４よりも上側に露呈する側面１６ａに手指を掛けることが可能となり、タンクカバー１６の開閉操作の操作性が向上する。
【００５５】
尚、本発明は上記において説明した実施形態に限定されることなく、特許請求の範囲に記載した発明の範囲内で、種々の変形が可能であり、それらも本発明の範囲内に含まれるものであることは言うまでもない。
【符号の説明】
【００５６】
１…プリンター（記録装置）、２…記録ユニット、３…スキャナー部（読取ユニット）、４…操作パネル、５…表示部、６…操作ボタン、７…排出口、８…媒体受けトレイ、９…媒体支持部、９ａ…媒体支持面、１０…原稿カバー、１１…延長支持部、１１ａ…延長支持面、１２…原稿台、１３…読み取り手段、１４…インクタンク、１５…インク収容体、１６…タンクカバー、１７…手掛け部、１８…フレーム部、２０…媒体搬送経路、２１…給送ローラー、２２…分離ローラー、２３…搬送ローラー対、２４…排出ローラー対、２５…記録手段、２６…キャリッジ、２７…記録ヘッド、２８…支持部材、３１…第１端部、３２…第２端部、Ｃ…回転中心、Ｇ…チルト軸
【図１】
2020001264.tif 000003
【図２】
2020001264.tif 000004
【図３】
2020001264.tif 000005
【図４】
2020001264.tif 000006
【図５】
2020001264.tif 000007
【図６】
2020001264.tif 000008
【図７】
2020001264.tif 000009
【図８】
2020001264.tif 000010
【図９】
2020001264.tif 000011
【図１０】
2020001264.tif 000012
【図１１】
2020001264.tif 000013
【図１２】
2020001264.tif 000014
【図１３】
2020001264.tif 000015
【図１４】
2020001264.tif 000016
【図１５】
2020001264.tif 000017
【図１６】
2020001264.tif 000018